(57)【要約】【課題】光反射膜１２の上に位相差膜１３を設けて構成される偽造防止媒体１に重ね、その反射光を検査して、真偽又は真贋を検証する検証器であって、周辺光の強度によらず明暗の変化を明瞭に観察することができる検証器を提供する。【解決手段】偽造防止媒体を照明する照明光を透過する照明光用偏光膜２１と、反射光を透過する反射光用偏光膜２２とを別個に設け、これら両偏光膜２１，２２を互いに交差する角度に配置する。強い照明光で偽造防止媒体１を照明した場合、その明暗の変化を強いコントラストを伴って観察することができるから、周辺光の強度によらず明暗の変化を明瞭に観察することができる。【選択図】図２
2011257344.tif 000002
【特許請求の範囲】
【請求項１】
物品に固定された偽造防止媒体であって、光反射膜の上に位相差膜を設けて構成される偽造防止媒体に重ね、この偽造防止媒体からの反射光を検査して、この物品の真偽又は真贋を検証する検証器において、
前記偽造防止媒体を照明する照明光を透過する照明光用偏光膜と、照明された偽造防止媒体からの反射光を透過する反射光用偏光膜とを備え、
これら照明光用偏光膜と反射光用偏光膜とが、互いに交差する角度に配置されていることを特徴とする検証器。
【請求項２】
前記照明光用偏光膜の透過軸と反射光用偏光膜の透過軸とが互いに直交する向きに、配置されていることを特徴とする請求項１に記載の検証器。
【請求項３】
光源が固定されていることを特徴とする請求項１〜３のいずれかに記載の検証器。
【請求項４】
前記照明光用偏光膜の外側に、光源が配置されていることを特徴とする請求項１〜３のいずれかに記載の検証器。
【発明の詳細な説明】
【技術分野】
【０００１】
本発明は、物品に固定された偽造防止媒体に重ね、この偽造防止媒体からの反射光を検査して、この物品の真偽又は真贋を検証する器具に関するものである。
【０００２】
本発明の検証器が対象とする偽造防止媒体は、光反射膜の上に位相差膜を設けたものである。本発明の検証器を透過した光を偽造防止媒体の位相差膜に入射させ、光反射膜によって反射した反射光を再び検証器を通して観察すると、検証器と偽造防止媒体の重ね合わせ角度に応じて、観察される光の強度が変化する。
【背景技術】
【０００３】
光反射膜の上に位相差膜を設けて構成される偽造防止媒体は、例えば、特許文献１に記載されている。位相差膜はその面内に進相軸と遅相軸とを有し、遅相軸に振動面（偏光面）を有する直線偏光Ｓ１の速度は、進相軸に偏光面を有する直線偏光Ｓ２の速度に比較して遅い。典型的には、進相軸と遅相軸とは互いに直交している。このため、位相差膜に入射した光は、遅相軸に偏光面を有する直線偏光Ｓ２と進相軸に偏光面を有する直線偏光Ｓ１とに分離され、位相差膜を出射するときには、この直線偏光Ｓ２と直線偏光Ｓ１との間で位相のずれを生じる。この位相のずれは「位相差」または「リタデーション」と呼ばれており、直線偏光Ｓ２に対する屈折率と直線偏光Ｓ１に対する屈折率との差を屈折率差として、この屈折率差と位相差膜の厚み（ｎｍ）との積（ｎｍ）である。一般には、設計波長の光に着目して、その波長の光のうち、直線偏光Ｓ２と直線偏光Ｓ１との位相角の差（度）で表わされる。典型的には、設計波長の１／４であり、このような位相差膜は１／４波長板と呼ばれている。すなわち、１／４波長板に設計波長の光を入射すると、この１／４波長板を透過して出射した光のうち、遅相軸に偏光面を有する直線偏光Ｓ２の位相は、進相軸に偏光面を有する直線偏光Ｓ１に比較して、１／４波長の遅れを生じている。
【０００４】
このような１／４波長板を光反射膜の上に設けて構成される偽造防止媒体に偏光膜ａを重ねると、この偏光膜ａが偏光子として働き、偏光膜ａの透過軸と偏光面が一致する直線偏光Ｓ０が透過する。この直線偏光Ｓ０は次に位相差膜に入射するが、このときの挙動は、直線偏光Ｓ０の偏光面と位相差膜の進相軸とのなす角度によって異なるため、場合を分けて説明する。
【０００５】
まず、直線偏光Ｓ０の偏光面と位相差膜の進相軸とのなす角度が４５度の場合について説明する。この場合、位相差膜に入射した直線偏光Ｓ０は、位相差膜の進相軸に偏光面を有する直線偏光Ｓ１と、遅相軸に偏光面を有する直線偏光Ｓ２とに分離される。両直線偏光Ｓ１とＳ２の強度は等しい。そして、直線偏光Ｓ２は、直線偏光Ｓ１に比較して１／４波長遅れて位相差膜を出射する。この両出射光は、両者の位相差を維持したまま光反射膜で反射され、再び位相差膜に入射し、直線偏光Ｓ２は直線偏光Ｓ１に対して再び１／４波長の遅れを生じる。このように、直線偏光Ｓ２は往路と復路の双方で１／４波長ずつの遅れを生じるから、その合計で１／２波長の遅れが発生することになる。前述のように、直線偏光Ｓ１と直線偏光Ｓ２との強度は等しいから、直線偏光Ｓ１と１／２波長の位相差を生じた直線偏光Ｓ２とを合成して得られて合成光Ｓ３は、当初の入射光Ｓ０の偏光面に対して直交する偏光面を持つ直線偏光である。そこで、前記偏光膜ａはこの合成光Ｓ３の検光子として働き、合成光Ｓ３は偏光膜ａに遮られて、透過することができない。以上の説明を整理すると、偏光膜ａの透過軸が位相差膜の進相軸と４５度の角度をなすように偏光膜ａを重ねて観察すると、その視野は暗くなる。
【０００６】
次に、直線偏光Ｓ０の偏光面と位相差膜の進相軸とのなす角度が０度の場合について説
明する。すなわち、直線偏光Ｓ０の偏光面と位相差膜の進相軸とが一致する場合である。この場合には、位相差膜を透過する光は位相差膜の進相軸に偏光面を有する直線偏光Ｓ１だけであって、遅相軸に偏光面を有する直線偏光Ｓ２は存在しない。そして、この直線偏光Ｓ１が光反射膜で反射された後もその偏光面は維持されており、復路で位相差膜を透過した後にも偏光面が維持されている。このため、この合成光Ｓ３はそのまま検光子（偏光膜ａ）を透過する。このため、偏光膜ａの透過軸が位相差膜の進相軸と０度の角度をなすように偏光膜ａを重ねて観察すると、その視野は明るくなる。偏光膜ａの透過軸が位相差膜の進相軸と９０度の角度をなすように偏光膜ａを重ねた場合も同様である。
【０００７】
そして、直線偏光Ｓ０の偏光面と位相差膜の進相軸とのなす角度が０度と４５度の間にある場合には、位相差膜に入射した直線偏光Ｓ０は、位相差膜の進相軸に偏光面を有する直線偏光Ｓ１と、遅相軸に偏光面を有する直線偏光Ｓ２とに分離されるが、直線偏光Ｓ１と直線偏光Ｓ２の強度は互いに異なっている。そして、この強度の相違を維持したまま、光反射膜で反射され復路で位相差膜を透過して出射するから、その合成光Ｓ３のうち直線偏光Ｓ１の強度と直線偏光Ｓ２との強度は互いに異なっており、この両者を合成した前記合成光Ｓ３の偏光面は、前記強度比に応じた角度で偏光膜ａの透過軸に交差している。このため、直線偏光Ｓ０の偏光面と位相差膜の進相軸とのなす角度が０度と４５度の間にあるように偏光膜ａを重ねて観察すると、その視野は、０度の場合と４５度の場合の中間の明るさを有している。
【０００８】
そこで、１／４波長板を光反射膜の上に設けて構成される偽造防止媒体に偏光膜ａを重ねて、その偏光膜ａを回転させると、その回転角度に応じて視野の明暗が連続的に変化する。変化の周期は回転角度４５度である。そして、このため、物品に固定された偽造防止媒体に偏光膜ａを重ねて回転させ、その明暗を観察することにより、その物品が真正品であるか、あるいは偽造品や贋造品であるか、という点について判断することが可能である。
【０００９】
ところで、特許文献１に記載の偽造防止媒体は、基材表面の一部にパターン状に位相差膜を配置した偽造防止媒体である。この偽造防止媒体に偏光子ａを重ねることにより、そのパターン形状に応じた反射光Ｓ３を観察することができる。このため、そのパターン形状の有無、このパターンの明暗の変化の有無によって真偽又は真贋を検証することができる。
【先行技術文献】
【特許文献】
【００１０】
【特許文献１】特開２００６−１４２５９９号公報
【発明の概要】
【発明が解決しようとする課題】
【００１１】
ところで、この偽造防止媒体を使用して真偽を判定する際には、１枚の偏光子ａを密着して重ねかつ回転してその視野の明暗の変化を観察している。
【００１２】
しかし、観察する環境が明るい場合には、その周辺光の強度が高いため、明暗の変化を明瞭に観察することができないことがあった。
【００１３】
そこで、本発明は、周辺光の強度によらず明暗の変化を明瞭に観察することができ、したがって、容易かつ確実に真偽判定することのできる検証器を提供することを目的とするものである。
【課題を解決するための手段】
【００１４】
すなわち、請求項１に記載の発明は、物品に固定された偽造防止媒体であって、光反射膜の上に位相差膜を設けて構成される偽造防止媒体に重ね、この偽造防止媒体からの反射光を検査して、この物品の真偽又は真贋を検証する検証器において、
前記偽造防止媒体を照明する照明光を透過する照明光用偏光膜と、照明された偽造防止媒体からの反射光を透過する反射光用偏光膜とを備え、
これら照明光用偏光膜と反射光用偏光膜とが、互いに交差する角度に配置されていることを特徴とする検証器である。
【００１５】
この発明においては、照明光用膜（偏光子）と反射光用偏光膜（検光子）とを別個に設け、しかも、両者を交差する角度に配置することによって、照明光の方向と反射光の方向とを異なる方向としたから、視野内のコントラストが高く、したがって、明暗の変化を明瞭に観察することができる。このため、観察する環境が明るい場合にも、容易かつ確実に真偽判定することが可能となる。
【００１６】
次に、請求項２に記載の発明は、前記照明光用偏光膜の透過軸と反射光用偏光膜の透過軸とが互いに直交する向きに、配置されていることを特徴とする請求項１に記載の検証器である。この発明によれば、照明光用偏光膜の透過軸と反射光用偏光膜の透過軸とが直交するように配置されているから、より高いコントラストを実現して、一層容易に明暗の変化を観察することが可能となる。
【００１７】
また、請求項３に記載の発明は、前記照明光用偏光膜に、光拡散膜が積層されていることを特徴とする請求項１又は２に記載の検証器である。この発明によれば、均一でむらのない照明光を偽造防止媒体に入射させることが可能となる。このため、偽造防止媒体と検証器とを相対的に回転させたとき、回転に伴う照明光のムラを考慮することなく、その明暗の変化を正確に判断することが可能となる。
【００１８】
次に、請求項４に記載の発明は、光源が固定されていることを特徴とする請求項１〜３のいずれかに記載の検証器である。この発明によれば、照明用光源が検証器に固定されているから、この検証器の回転に伴って照明用光源も回転する。このため、その回転角によらず、均一な照明光で偽造防止媒体を照らすことができ、その明暗の変化を正確に判断することが可能となる。
【発明の効果】
【００１９】
以上のように、本発明によれば、観察する環境が明るい場合にも、容易かつ確実に真偽判定することが可能となる。
【図面の簡単な説明】
【００２０】
【図１】本発明の実施例に係る検証器を偽造防止媒体に重ねた状態を示す斜視図
【図２】本発明の実施例に係る検証器を偽造防止媒体に重ねた状態を示す側面説明図
【図３】本発明の第２の実施例に係る検証器を偽造防止媒体に重ねた状態を示す側面説明図
【発明を実施するための形態】
【００２１】
本発明の検証器は特定の偽造防止媒体の検証に使用するものである。そこで、まず、この偽造防止媒体について説明する。
【００２２】
この偽造防止媒体は、光反射膜と、この光反射膜の上に設けられた位相差膜とを必須の構成要素とするものである。通常、基材上に光反射膜を形成し、次に位相差膜を設けることによって製造できる。また、基材上に位相差膜を設け、次に光反射膜を形成することによって製造してもよい。
【００２３】
位相差膜は、光反射膜の全面に一様に設けられていてもよいが、その一部にパターン状に設けられていてもよい。また、光反射膜の表面を複数の領域に区分して、これら領域のごとに進相軸の方向が異なる位相差膜を配置してもよい。また、これら領域ごとに、位相差の異なる位相差膜を配置してもよい。
【００２４】
基材としては任意のものが使用できるが、この偽造防止媒体を物品に固定して使用するため、薄いフィルム状の基材を使用することが望ましい。例えば、合成樹脂フィルム、天然樹脂のフィルム、紙などである。合成樹脂フィルムとしては、ポリエチレンテレフタレート（ＰＥＴ）、ポリエチレンナフタレート（ＰＥＮ）、トリアセチルセルロース(ＴＡＣ)、ポリ塩化ビニル、ポリエステル、ポリカーボネート、ポリメタクリル酸メチル、ポリスチレン等のフィルムが例示できる。天然樹脂のフィルムとしてはセロハンが使用できる。また、トリアセチルセルロース等の改質セルロース系フィルムを使用することもできる。無延伸フィルムであることが望ましいが、複屈折率の小さい延伸フィルムであってもよい。
【００２５】
また、光反射膜の材料は、光反射性が得られれば特に限定されない。光反射膜は、例えば、金属蒸着層などの鏡面反射層である。この光反射層の材料としては、例えば、アルミニウム、金、銀、銅、クロム、ニッケルなどの金属または合金を用いることができる。これらの材料は単独でまたは積層して使用できる。この光反射膜は、例えば、真空蒸着やスパッタリングなどの気相堆積方法を用いて形成することができる。
【００２６】
光反射膜は、反射性顔料を含んだ光反射性顔料層であってもよい。光反射性顔料層の材料としては、例えば、光反射性顔料を樹脂などに分散させたものを用いることができる。この光反射膜は、反射光に干渉色を与えるものであってもよい。そのような光反射膜は、光反射性顔料として、例えば、見る角度に応じて色が変化する材料を微粉砕したものを用いることにより得られる。この材料は、例えば、屈折率がそれぞれ異なりかつ適当な膜厚を持つセラミックからなる複数層を積層させて形成する。また、光反射性顔料としては他に、パール顔料と呼ばれる光輝性顔料を用いることもできる。
【００２７】
次に、位相差膜は配向した液晶材料から構成することができる。例えば、基材又は光反射膜の上にまず配向膜を形成し、次にこの配向膜上に液晶材料を塗布してその被膜を形成すると共に、この液晶材料を配向させる。そして、この液晶材料を硬化させてその配向状態を固定することで、位相差膜を形成することが可能である。
【００２８】
配向膜は、例えばポリイミド等の合成樹脂材料の被膜を形成した後、この被膜の表面をラビングして線状の凹凸を付与することによって形成することができる。また、この被膜表面を複数の領域に区分し、これら複数の領域の一部をマスク材料で被覆した状態でラビングし、次いでマスク材料を剥離除去することにより、その被膜の一部領域に線状の凹凸を付与してもよい。いずれの場合であっても、線状の凹凸を付与された領域に塗布された液晶材料はこの線状の凹凸に沿って配向する。
【００２９】
また、配向膜は、例えば、光学的干渉作用を利用して形成することもできる。例えば、任意の支持体上に感光性樹脂を塗布してその被膜を形成し、２方向からレーザー光を照射して、これらレーザー光を感光性樹脂被膜上で干渉させる。このとき、その干渉縞は感光性樹脂表面に凹凸の形態で記録される。こうして干渉縞が凹凸の形態で記録された感光性樹脂を原版として利用する。他方、前記光反射膜上に熱可塑性樹脂の被膜を形成し、この被膜に前記原版を熱圧して、原版の凹凸を転写する。こうして凹凸の形成された熱可塑性樹脂被膜に液晶材料を塗布すると、液晶材料はこの凹凸に沿って配向する。なお、感光性樹脂被膜上でレーザー光を干渉させて凹凸を形成する代わりに、電子線硬化樹脂の表面を
電子線で描画して前記凹凸を形成することも可能である。
【００３０】
次に、領域ごとに異なる位相差を有する液晶材料の被膜を形成する方法について説明する。この方法では、サーモトロピック液晶性を示し、光によって重合又は架橋できる液晶化合物を使用する。そして、この液晶化合物に、溶剤、キラル剤及び光重合開始剤を混合して塗料を作製する。このほか、塗料には、熱重合開始剤、増感剤、連鎖移動剤、多官能モノマーあるいはオリゴマー、樹脂、界面活性剤、貯蔵安定剤、密着向上剤その他必要な材料を混合することができる。
【００３１】
このような液晶化合物としては、例えば、アルキルシアノビフェニル、アルコキシビフェニル、アルキルターフェニル、フェニルシクロヘキサン、ビフェニルシクロヘキサン、フェニルビシクロヘキサン、ピリミジン、シクロヘキサンカルボン酸エステル、ハロゲン化シアノフェノールエステル、アルキル安息香酸エステル、アルキルシアノトラン、ジアルコキシトラン、アルキルアルコキシトラン、アルキルシクロヘキシルトラン、アルキルビシクロヘキサン、シクロヘキシルフェニルエチレン、アルキルシクロヘキシルシクロヘキセン、アルキルベンズアルデヒドアジン、アルケニルベンズアルデヒドアジン、フェニルナフタレン、フェニルテトラヒドロナフタレン、フェニルデカヒドロナフタレン、トリフェニレン、ペンタエチニルベンゼンおよびこれらの誘導体、ならびに前記化合物のアクリレート等が例示できる。
【００３２】
そして、この塗料を前記配向膜の上に塗布乾燥することにより、前記凹凸に沿って配向した液晶の被膜が得られる。そして、次に、この被膜の特定の領域に対して紫外線を照射して照射領域の被膜を硬化させ、その配向状態を固定する。次に説明するように、この領域は、その他の領域に比較して、配向度が大きく、従って位相差が大きい領域である。
【００３３】
次に、この被膜全体を加熱して未硬化領域の配向状態を緩め、この状態で再び紫外線を照射して、照射領域の被膜を硬化させ、その配向状態を固定する。この領域では緩めた配向状態が固定されているから、比較的位相差が小さい領域である。
【００３４】
なお、このほか、感光性の液晶材料の被膜に偏光を照射することにより、その偏光面に沿って配向させることも可能である。すなわち、キラル剤及び光重合開始剤を混合した液晶材料の被膜に対して、直線偏光を照射することにより、この被膜に含まれる液晶材料が照射光の偏光面に沿って配向し、かつ、硬化する。したがって、この方法を採用する場合には、配向膜を必要とせず、基材又は光反射膜上に直接液晶材料の被膜を形成し、この被膜中の液晶材料を配向させて、位相差膜を形成することができる。照射する直線偏光の偏光度に応じて配向度が変化するから、位相差膜の位相差を制御することもできる。また、パターン状に照射することにより、このパターンに応じた領域について配向させることが可能である。
【００３５】
次に、本発明の検証器について説明する。本発明の検証器は、２枚の偏光膜を必須の構成要素とするものである。この２枚の偏光膜のうち一方は偽造防止媒体を照明する照明光を透過するものである。すなわち、光源からの照明光は、照明光用偏光膜を透過して、偽造防止媒体を照明する。そして、照明光は偽造防止媒体によって反射され、他方の偏光膜を通して観察される。すなわち、２枚の偏光膜のうち他方の偏光膜は、偽造防止媒体によって反射された反射光を透過する反射光用偏光膜である。この両者は、照明光用偏光膜の透過軸と、反射光用偏光膜の透過軸とが互いに直交するように配置されている。
【００３６】
また、この２枚の偏光膜は、互いに交差する角度に配置されている。図１及び図２はこの状態を示す図面であり、これらの図から分かるように、照明光用偏光膜２１と反射光用偏光膜２２とは、互いに交差するようにその境界線から折り曲げられている。なお、図中
、１は偽造防止媒体であり、基材１１上に光反射膜１２と位相差膜１３とがこの順に積層されて構成されている。そして、照明光用偏光膜２１と反射光用偏光膜２２とで構成される検証器２は、その両端部２１ａ，２２ａが偽造防止媒体１に向くように配置されており、こうして、照明光用偏光膜２１と偽造防止媒体１とが密着することなく、両者の間に間隙を作っている。同様に反射光用偏光膜２２と偽造防止媒体１との間にも間隙を作っている。
【００３７】
また、光源２４は照明光用偏光膜２１の外側の位置に固定されており、この光源２４からの光は照明光用偏光膜２１を透過して偽造防止媒体１を照明する。そして、観察者は反射光用偏光膜２２の外側に位置しており、偽造防止媒体１で反射された光は、反射光用偏光膜２２を透過して観察者に到達する。このように照明光が直接観察者に到達することがなく、必ず偽造防止媒体１で反射された後に観察者に到達するから、強い照明光で偽造防止媒体１を照明した場合、その明暗の変化を強いコントラストを伴って観察することができる。なお、光源２４を検証器２に固定するためには、検証器２にフレームを設けてこのフレームに光源２４を固定すればよい。
【００３８】
そして、この検証器２を回転することにより、観察者の視野は明暗が変化する。その周期は回転角度４５度である。光源２４は検証器２に固定されているから、検証器２の回転に伴って光源２４も回転し、常時一様な強度で偽造防止媒体１を照明する。
【００３９】
次に、図３は、第２の検証器２の例を示すものである。この例では、照明光用偏光膜２１の外側に光拡散板２３が接着されている。このため、光源光はこの光拡散板２３で拡散され、次いで照明光用偏光膜２１を透過する。このため、この検証器２によれば、偽造防止媒体１の全面を一様な強度の光で照明することが可能である。
【００４０】
これら照明光用偏光膜２１及び反射光用偏光膜２２としては、吸収型の偏光フィルムを使用することができる。この場合、直線偏光フィルムは、その透過軸と平行な偏光面を持つ直線偏光は透過させ、透過軸と直行する偏光面を持つ直線偏光を吸収する。吸収型の偏光フィルムとしては、例えば、ＰＶＡからなる延伸フィルムにヨードを吸収させたＰＶＡ−ヨウ素型フィルムまたは二色性染料型フィルムを用いることができる。これら偏光フィルムは、物理的強度が低いため、トリアセチルロース（ＴＡＣ）からなるフィルムで挟んで使用してもよい。
【００４１】
また、光拡散板２３としては、合成樹脂マトリクス中に、粒径０．１〜１．０μｍの粒子を分散させて製造したシート又はフィルムを使用することができる。また、合成樹脂マトリクスに前記粒子を分散させて塗料とし、この塗料を照明光用偏光膜２１に塗布して被膜としたものであってもよい。
【００４２】
前記粒子としてはその屈折率が大きいものが好ましく利用できる。このような粒子としては、例えば、アクリル粒子（屈折率１．４９）、アクリル−スチレン粒子（屈折率１．４９〜１．５９）、タルク（屈折率１．５４）、各種アルミノケイ酸塩（屈折率１．５０〜１．６０）、カオリンクレー（屈折率１．５３）、ＭｇＡｌハイドロタルサイト（屈折率１．５０）、スチレン粒子（屈折率１．５９）、アクリルスチレン粒子（屈折率１．５８）、ポリカーボネート粒子（屈折率１．５８）、メラミン粒子（屈折率１．６６）が例示できる。
【００４３】
また、合成樹脂マトリクスとしては、熱可塑性樹脂、熱硬化性樹脂、あるいは光硬化性樹脂などが使用できる。
【００４４】
熱可塑性樹脂としては、例えば、アセチルセルロース、ニトロセルロース、アセチルブ
チルセルロース、エチルセルロース、メチルセルロース等のセルロース誘導体、酢酸ビニル及びその共重合体、塩化ビニル及びその共重合体、塩化ビニリデン及びその共重合体等のビニル系樹脂、ポリビニルホルマール、ポリビニルブチラール等のアセタール樹脂、アクリル樹脂及びその共重合体、メタクリル樹脂及びその共重合体等のアクリル系樹脂、ポリスチレン樹脂、ポリアミド樹脂、線状ポリエステル樹脂、ポリカーボネート樹脂等が例示できる。
【００４５】
熱硬化性樹脂としては、アクリルポリオールとイソシアネートプレポリマーとからなる熱硬化型ウレタン樹脂、フェノール樹脂、尿素メラミン樹脂、エポキシ樹脂、不飽和ポリエステル樹脂、シリコーン樹脂等があげられる。
【００４６】
また、光硬化性樹脂としては、多価アルコールのアクリル酸またはメタクリル酸エステルのような多官能性のアクリレート樹脂、ジイソシアネート、多価アルコール及びアクリル酸またはメタクリル酸のヒドロキシエステル等から合成されるような多官能のウレタンアクリレート樹脂等が挙げられる。またこれらの他にも、アクリレート系の官能基を有するポリエーテル樹脂、ポリエステル樹脂、エポキシ樹脂、アルキッド樹脂、スピロアセタール樹脂、ポリブタジエン樹脂、ポリチオールポリエン樹脂が例示でき、光重合開始剤を加えて使用できる。光重合開始剤としては、ベンゾイン、ベンゾインメチルエーテル、ベンゾインエチルエーテル、ベンゾインイソプロピルエーテル、ベンジルメチルケタールなどのベンゾインとそのアルキルエーテル類等が例示できる。
【符号の説明】
【００４７】
１    偽造防止媒体
１１  基材
１２  光反射膜
１３  位相差膜
２    検証器
２１  照明光用偏光膜
２２  反射光用偏光膜
２３  光拡散板
２４  光源
【図１】
2011257344.tif 000003
【図２】
2011257344.tif 000004
【図３】
2011257344.tif 000005